【手続補正書】
【提出日】平成16年9月14日(2004.9.14)
【手続補正１】
【補正対象書類名】特許請求の範囲
【補正対象項目名】全文
【補正方法】変更
【補正の内容】
【特許請求の範囲】
【請求項１】
第１の包装部分と、
第２の包装部分と、
前記第１及び第２の包装部分を、包装サイクル中に前記第１及び第２の包装部分を一緒に保持すると共に剥離する、それらのそれぞれの横端部で接着する少なくとも一のＺロック部とを有することを特徴とする包装材料。
【請求項２】
Ｚロック部は少なくとも一の高粘着層と剥離層を含むことを特徴とする請求項１記載の包装材料。
【請求項３】
前記第２の包装部分の前記横端部はＶ字形状又はＶ字ひだに折り曲げられることを特徴とする請求項１記載の包装材料。
【請求項４】
前記第１の包装部分の前記横端部は、前記Ｚロック部を形成するために、前記第２の包装部分の前記Ｖ字形状の先端に置かれて接着されることを特徴とする請求項３記載の包装材料。
【請求項５】
前記第１の部分及び第２の包装部分は、ロール巻取中及び包装サイクル中にそれらのそれぞれの横端部に接着されたままであることを特徴とする請求項１記載の包装材料。
【請求項６】
前記第１及び第２の包装部分は、前記包装サイクルの終了時に、前記高粘着層と前記剥離層との境界で剥離されることを特徴とする請求項２記載の包装材料。
【請求項７】
前記剥離層は、前記包装サイクルの終了時に、前記包装部分の少なくとも一の前記横端部に接着されたままであることを特徴とする請求項２記載の包装材料。
【請求項８】
前記高接着剤層は、前記包装サイクルの終了時に、前記包装部分の少なくとも一の横端部及び包装される品物に接着されたままであることを特徴とする請求項２記載の包装材料。
【請求項９】
第１の包装部分と、
第２の包装部分と、
前記第１又は第２の包装部分を、包装サイクル中に前記第１及び第２の包装部分を一緒に保持すると共に剥離する、それらのそれぞれの横端部で接着する少なくとも一の薄膜部とを有することを特徴とする包装材料。
【請求項１０】
前記第１の包装部分と前記第２の包装部分は非粘着性のフィルムであることを特徴とする請求項１又は９記載の包装材料。
【請求項１１】
前記包装部分の少なくとも一は、網状包装材料であることを特徴とする請求項１又は９記載の包装材料。
【請求項１２】
前記第１及び第２の包装部分は所定の長さと幅を有することを特徴とする請求項１又は９記載の包装材料。
【請求項１３】
前記少なくとも一の薄膜部は、少なくとも２つの高粘着層、基板層及び剥離層を含むことを特徴とする請求項９記載の包装材料。
【請求項１４】
前記剥離層は低粘着接着剤層であることを特徴とする請求項２又は１３記載の包装材料。
【請求項１５】
前記剥離層はシリコン層であることを特徴とする請求項１４記載の包装材料。
【請求項１６】
前記基板層は紙であることを特徴とする請求項１３記載の包装材料。
【請求項１７】
第１の高粘着層の上面は前記第１の包装部分の前記横端部に接着され、前記第１の高粘着層の前記下面は前記剥離層の上面に接着されていることを特徴とする請求項１３記載の包装材料。
【請求項１８】
前記剥離層の下面は前記基板層の上面に接着され、前記基板の下面は前記第２の高粘着層の上面に接着され、前記第２の高粘着層は前記第２の包装部分の前記横端部に接着されることを特徴とする請求項１３記載の包装材料。
【請求項１９】
前記第１及び第２の包装部分は、包装サイクルの終了時に、前記第１の高粘着層及び前記剥離層の境界で剥離されることを特徴とする請求項１７記載の包装材料。
【請求項２０】
前記剥離層は、前記包装サイクルの終了時に、前記第１及び第２の包装部分の分離後に、前記第２の包装部分の前記横端部に接着されたままであることを特徴とする請求項１３記載の包装材料。
【請求項２１】
前記第１の高粘着層は、前記包装サイクルの終了時に、前記第１の包装部分の前記横端部及び包装される品物に接着されたままであることを特徴とする請求項１３記載の包装材料。
【請求項２２】
前記第１の包装部分と前記第２の包装部分は、包装される品物の周縁を少なくとも覆うのに十分な長さと幅を有することを特徴とする請求項１又は９記載の包装材料。
【請求項２３】
前記第２の包装部分の前記横端部の上で横方向に分離される第１及び第２の薄膜部を更に有することを特徴とする請求項９記載の包装材料。
【請求項２４】
前記第２の薄膜部は、基板によって分離される、少なくとも高粘着層と低粘着接着剤層とを含むことを特徴とする請求項２３記載の包装材料。
【請求項２５】
前記第２の薄膜部は、前記包装サイクルの終了時に、前記低粘着層と基板との境界で分離することを特徴とする請求項２４記載の包装材料。
【請求項２６】
少なくとも一のＺロック部によって第２の包装部分に横端部で接着された第１の包装部分を使用して品物の周縁を包装し、
前記第１の包装部分の移動を停止し、
前記品物の移動を継続し、
前記Ｚロック部の低粘着性の境界で前記第２の部分から前記第１の部分を分離し、
前記第１の包装部分の前記横端部を使用して前記品物を封止して前記品物の包装サイクルを完了し、
前記第１の包装部分の停止と前記品物の移動は、前記第１の部分を、前記包装サイクルの終了時に、前記第２の包装部分から分離することを特徴とする包装方法。
【請求項２７】
前記第１の包装部分と第２の包装部分は非粘着性のフィルムであり、各々少なくとも一の包装サイクルを完了するのに使用されることを特徴とする請求項２６記載の方法。
【請求項２８】
前記包装部分の少なくとも一は網状包装材料であることを特徴とする請求項２６記載の方法。
【請求項２９】
前記第１及び第２の包装部分は所定の長さと幅を有することを特徴とする請求項２６記載の方法。
【請求項３０】
前記Ｚロック部は、少なくとも一の高粘着層と剥離層を含むことを特徴とする請求項２６記載の方法。
【請求項３１】
前記剥離層は低粘着接着剤層であることを特徴とする請求項３０記載の方法。
【請求項３２】
前記剥離層はシリコン層であることを特徴とする請求項３０記載の方法。
【請求項３３】
前記第２の包装部分の横端部を、前記第１の包装部分に接合する前に、Ｖ字形状に折り畳むことを更に有することを特徴とする請求項２６記載の方法。
【請求項３４】
前記第２の包装部分の前記Ｖ字形状の先端に前記第１の包装部分の前記横部分を置いて接着し、前記Ｚロック部を形成することを更に有することを特徴とする請求項３３記載の方法。
【請求項３５】
前記第１及び第２の包装部分は、前記包装サイクルの終了時に、前記Ｚロック部の前記剥離層と前記高粘着層との境界で分離されることを特徴とする請求項３０記載の方法。
【請求項３６】
前記第１及び第２の包装部分は、包装される前記品物の周縁を少なくとも覆うのに十分な長さと幅を有することを特徴とする請求項２６記載の方法。
【請求項３７】
前記高粘着層は、前記包装サイクルの終了時に、前記第１の包装部分の前記横端部と包装される品物に接着されたままであることを特徴とする請求項３０記載の方法。
【請求項３８】
前記剥離層は、前記包装サイクルの終了時に、前記第２の包装部分の前記横端部に接着されたままであることを特徴とする請求項３０記載の方法。
【請求項３９】
連続した包装材料を形成するように、それぞれの横端部において互いに接着された複数の包装部分を有する包装材料であって、包装サイクル中に、前記それぞれの横端部は前記複数の包装部分を一緒に保持すると共に剥離するＺロック部によって接着していることを特徴とする包装材料。